(57)【要約】【課題】ショット投射装置１を備えたキャビネット２と、三角形の頂点に当る位置に回転自在に配設した３本の水平状ローラ３〜５に懸架された無端ベルト６および無端ベルト６の両側端部に対向して回転自在に配設された２枚の回転板７によって構成されかつキャビネット２内に垂直面内で旋回可能に配設された製品収納凹部８と、を備えたショットブラスト装置において、製品の投入位置１１と排出位置１４とを相違させたものを提供する。【解決手段】製品収納凹部８の開口部が上向きとなる２位置と下向きとなる１位置とで製品収納凹部８を一時停止させて製品投入状態、製品ブラスト状態および製品排出状態をそれぞれ形成する構造にしたことを特徴とする。【選択図】　　図１
2004114255.tif 000002
【特許請求の範囲】
【請求項１】
ショット投射装置を備えたキャビネットと、三角形の頂点に当る位置に回転自在に配設した３本の水平状ローラに懸架された無端ベルトおよびこの無端ベルトの両側端部に対向して回転自在に配設された２枚の回転板によって構成されかつ前記キャビネット内に垂直面内で旋回可能に配設された製品収納凹部と、を備えたショットブラスト装置において、
前記製品収納凹部の開口部が上向きとなる２位置と下向きとなる１位置とで前記製品収納凹部を一時停止させて製品投入状態、製品ブラスト状態および製品排出状態をそれぞれ形成する構造にしたことを特徴とするショットブラスト装置。
【発明の詳細な説明】
【０００１】
【発明の属する技術分野】
本発明は、ショットブラスト装置の改良に関する。
【０００２】
【従来の技術】
従来、ショットブラスト装置の一つとして、ショット投射装置を備えたキャビネットと、三角形の頂点に当る位置に回転自在に配設した３本の水平状ローラに懸架された無端ベルトおよびこの無端ベルトの両側端部に対向して回転自在に配設された２枚の回転板によって構成されかつ前記キャビネット内に垂直面内で旋回可能に配設された製品収納凹部とを備えて、無端ベルトの回転により製品を攪拌しながらショットを投射するようにしたものがある（特許文献１参照）。
【０００３】
【　特許文献１　】
特許第２８６５２３２号公報
【０００４】
【発明が解決しようとする課題】
しかし、このように構成された従来のショットブラスト装置では、製品収納凹部の開口部は製品を投入する時と製品を排出する時とが同じ位置であるため、直線的な工場レイアウトにすると、製品の搬入装置および搬出装置が複雑で高価なものになるなどの問題があった。
【０００５】
本発明は上記の事情に鑑みてなされたもので、その目的は、この種のショットブラスト装置において製品の製品収納凹部に対する投入位置と排出位置とを相違させた構造のものを提供することにある。
【０００６】
【課題を解決するための手段】
上記の目的を達成するために本発明におけるショットブラスト装置は、ショット投射装置を備えたキャビネットと、三角形の頂点に当る位置に回転自在に配設した３本の水平状ローラに懸架された無端ベルトおよびこの無端ベルトの両側端部に対向して回転自在に配設された２枚の回転板によって構成されかつ前記キャビネット内に垂直面内で旋回可能に配設された製品収納凹部と、を備えたショットブラスト装置において、前記製品収納凹部の開口部が上向きとなる２位置と下向きとなる１位置とで前記製品収納凹部を一時停止させて製品投入状態、製品ブラスト状態および製品排出状態をそれぞれ形成する構造にしたことを特徴とする。
【０００７】
【発明の実施の形態】
本発明を適用したショットブラスト装置の一実施例について図１〜図４に基づき詳細に説明する。図１に示すように、本ショットブラスト装置は、天井壁の右外面にショット投射装置１を備えたキャビネット２と、三角形の頂点に当る位置に回転自在に配設した３本の水平状ローラ３〜５に懸架されかつ回転可能にした無端ベルト６およびこの無端ベルト６の両側端部に対向して回転自在に配設された２枚の回転板７・７によって構成されかつ前記キャビネット２内に垂直面内で旋回可能に配設された製品収納凹部８と、構成してある。
【０００８】
そして、前記製品収納凹部８を構成するローラ３〜５、無端ベルト６、回転板７等は、図１において回転機構９を介して時計回り方向および反時計回り方向へ旋回可能に構成してあり、回転機構９は前記キャビネット２に装着された回転駆動手段１０によって間欠的に回転できるようになっている（図２参照）。
【０００９】
また、図１に示すように、前記キャビネット２の左側壁の上部には製品投入口１１が設けてあり、製品投入口１１は前記キャビネット２に装着されてシリンダ１２の伸縮作動により上下動する扉１３によって開閉するようになっている。
【００１０】
また、図１に示すように、前記キャビネット２の右側壁の下部には製品排出口１４が設けてあり、製品排出口１４は前記キャビネット２に装着されてシリンダ１５の伸縮作動により上下動する扉１６によって開閉するようになっている。
【００１１】
なお、図中符号１７・１８はベルトコンベヤ、１９はショット循環装置である。
【００１２】
このように構成されたものは、図１に示すように、回転駆動手段１０の駆動により回転機構９を介して、製品収納凹部８の開口部が上向きでかつ製品投入口１１と対向する位置まで製品収納凹部８を反時計回り方向へ旋回させ、続いて、シリンダ１２の収縮作動により扉１３を上昇させて製品投入口１１を開いた後、ベルトコンベヤ１７によってショットブラストすべき製品を製品収納凹部８に搬入する。
【００１３】
次いで、図３に示すように、ベルトコンベヤ１７を製品投入口１１から後退させかつシリンダ１２の伸長作動により扉１３を下降させて製品投入口１１を閉じた後、回転駆動手段１０の駆動により回転機構９を介して、製品収納凹部８の開口部が上向きでかつショット投射装置１と対向する位置まで製品収納凹部８を時計回り方向へ旋回させ、続いて、無端ベルト６の回転により製品を攪拌しながらショット投射装置１からショットを投射して製品をショットブラストする。
【００１４】
製品のショットブラスト完了後、ショット投射装置１からのショットの投射を止めかつ図４に示すように、回転駆動手段１０の駆動により回転機構９を介して、製品収納凹部８の開口部が下向きでかつ製品排出口１４と対向する位置まで製品収納凹部８を時計回り方向へ旋回させ、続いて、シリンダ１５の収縮作動により扉１６を上昇させて製品排出口１４を開いた後、無端ベルト６の回転により製品をベルトコンベヤ上に排出させる。
【００１５】
【効果】
上記の説明から明らかなように本発明は、上部にショット投射装置を備えたキャビネットと、頂点に当る位置に回転自在に配設した３本の水平状ローラに懸架された無端ベルトおよびこの無端ベルトの両側端部に対向して回転自在に配設された２枚の回転板によって構成されかつ前記キャビネット内に垂直面内で旋回可能に配設された製品収納凹部と、を備えたショットブラスト装置において、前記製品収納凹部の開口部が上向きとなる２位置と下向きとなる１位置とで前記製品収納凹部を一時停止させて製品投入状態、製品ブラスト状態および製品排出状態をそれぞれ形成する構造にしたから、製品の投入位置と排出位置とを相違させることができるため、直線的な工場レイアウトの場合でも、製品の搬入装置および搬出装置は簡単で安価なものになるなどの優れた実用的効果を奏する。
【図面の簡単な説明】
【図１】本発明の一実施例を示す縦断面図である。
【図２】図１の右側面図である。
【図３】図１の作動説明図であって製品をショットブラストしている状態を示す。
【図４】図１の作動説明図であって製品を排出している状態を示す。
【符号の説明】
１　ショット投射装置
２　キャビネット
３〜５　ローラ
６　無端ベルト
７　回転板
８　製品収納凹部
１１　製品投入口
１４　製品排出口
【図１】
2004114255.tif 000003
【図２】
2004114255.tif 000004
【図３】
2004114255.tif 000005
【図４】
2004114255.tif 000006